【事件の表示】
　特許第３２７３７１８号「電気脱イオン法による被処理水の処理方法及びその方法に使用する装置」の請求項１ないし３に係る特許に対する特許異議の申立てについて、次のとおり決定する。
【結　論】
　訂正を認める。
　特許第３２７３７１８号の請求項１ないし３に係る特許を維持する。
【理　由】
１．手続の経緯
　特許第３２７３７１８号の請求項１ないし３に係る発明についての出願は、平成７年８月２２日に特許出願され、平成１４年２月１日にその発明について特許権の設定登録がなされ（公報発行平成１４年４月１５日）、その後、平成１４年１０月１５日に木平ゆう子より特許異議の申立てがなされ、平成１５年３月１４日（発送日）に取消理由が通知され、その指定期間内に訂正請求がなされたものである。
　
２．訂正の適否についての判断
（１）訂正の内容
　訂正事項ａ： 本件特許明細書の特許請求の範囲請求項１の「電気脱塩装置の処理水出口側を処理水供給ラインと接続した状態で該装置により被処理水を処理して処理水を得るようにした電気脱イオン法による被処理水の処理方法において、電気脱塩装置を連続的に運転すると共に、処理水供給ラインに送られる処理水の量に応じて、処理水を処理水供給ラインに送る制御と、処理水を処理水循環ラインに送る制御とを行うようにしたことを特徴とする電気脱イオン法による被処理水の処理方法。」を「電気脱塩装置の処理水出口側を処理水供給ラインと接続した状態で該装置により被処理水を処理して処理水を得るようにした電気脱イオン法による被処理水の処理方法において、電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置し、前記処理水供給ラインに処理水タンクを接続して該処理水タンク内に貯留された処理水をユーティリティに送るようにし、電気脱塩装置を連続的に運転すると共に、処理水供給ラインに送られる処理水の量に応じて、前記流路切り替え手段を用いて処理水を処理水供給ラインを経て処理水タンクに送る制御と、処理水を処理水循環ラインに送る制御とを行うようにしたことを特徴とする電気脱イオン法による被処理水の処理方法。」と訂正する。
　訂正事項ｂ：本件特許明細書の特許請求の範囲請求項３の「電気脱塩装置と、該装置の入口側に接続された被処理水供給ラインと、該装置の出口側に接続された処理水供給ラインと、処理水を被処理水供給ラインに循環する処理水循環ラインと、処理水供給ラインに送られる処理水の量に応じて処理水を処理水供給ラインに送る制御と処理水を循環ラインに送る制御とを行うための制御手段とからなることを特徴とする電気脱イオン法による被処理水の処理装置。」を「電気脱塩装置と、該装置の入口側に接続された被処理水供給ラインと、該装置の出口側に接続された処理水流出ラインと、該処理水流出ラインに接続された処理水供給ラインと、該処理水供給ラインと分岐して処理水流出ラインに接続され、処理水を被処理水供給ラインに循環する処理水循環ラインと、処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路と、処理水供給ラインに送られる処理水の量に応じて前記流路切り替え手段を用いて処理水を処理水供給ラインを経て処理タンクに送る制御と処理水を処理水循環ラインに送る制御とを行うための制御手段とからなることを特徴とする電気脱イオン法による被処理水の処理装置。」と訂正する。
　訂正事項ｃ：本件特許明細書の段落【0013】の「電気脱イオン法による被処理水の処理方法において、電気脱塩装置を連続的に運転すると共に、」（特許公報第3頁5欄7〜8行）を「電気脱イオン法による被処理水の処理方法において、電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置し、前記処理水供給ラインに処理水タンクを接続して該処理水タンク内に貯留された処理水をユーティリティに送るようにし、電気脱塩装置を連続的に運転すると共に、」と訂正する。
　訂正事項ｄ：本件特許明細書の段落【0013】の「処理水供給ラインに送る制御と、」（第3頁5欄9〜10行）を「前記流路切り替え手段を用いて処理水供給ラインを経て処理水タンクに送る制御と、」と訂正する。
　訂正事項ｅ：本件特許明細書の段落【0013】の「該装置の出口側に接続された処理水供給ラインと、」（第3頁5欄22〜23行）を「該装置の出口側に接続された処理水流出ラインと、該処理水流出ラインに接続された処理水供給ラインと、」と訂正する。
　訂正事項ｆ：本件特許明細書の段落【0013】の「処理水を被処理水供給ラインに循環する処理水循環ラインと、」（第3頁5欄23〜24行）を「該処理水供給ラインと分岐して処理水流出ラインに接続され、処理水を被処理水供給ラインに循環する処理水循環ラインと、」と訂正する。
　訂正事項ｇ：本件特許明細書の段落【0013】の「処理水供給ラインに送られる処理水の量に応じて」（第3頁5欄24〜25行）を「処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路と、処理水供給ラインに送られる処理水の量に応じて」と訂正する。
　訂正事項ｈ：本件特許明細書の段落【0013】の「処理水を処理水供給ラインに送る制御と」（第3頁5欄25行）を「前記流路切り替え手段を用いて処理水を処理水供給ラインを経て処理水タンクに送る制御と」と訂正する。
　訂正事項ｉ：本件特許明細書の段落【0013】の「処理水を循環ラインに送る制御」（第3頁5欄25〜25行）を「処理水を処理水循環ラインに送る制御と」と訂正する。
　訂正事項ｊ：本件特許明細書の段落【0021】の「処理水供給ラインである。」（第3頁6欄41行）を「処理水供給ラインであり、処理水タンク内に貯留された処理水をユーティリティに送るための流路である。」と訂正する。
　訂正事項ｋ：本件特許明細書の段落【0046】の「上記実施態様では、・・・することもできる。」（第6頁11欄26〜36行）を削除する。
　訂正事項ｌ：本件特許明細書の段落【0056】の「処理水を処理水供給ラインに送るか或いは該処理該供給ラインに送らずに」（第7頁13欄25〜26行）を「流路切り替え手段を用いて処理水を処理水供給ラインを経て処理水タンクに送るか或いは願書利水供給ラインを経て処理水タンクに送らずに」と訂正する。
　
（２）訂正の目的の適否、新規事項の有無及び拡張・変更の存否
　上記訂正事項ａは、
　訂正事項ａ−１：「電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置」という構成を付加する訂正
　訂正事項ａ−２：「前記処理水供給ラインに処理水タンクを接続して該処理水タンク内に貯留された処理水をユーティリティに送る」という構成を付加する訂正
　訂正事項ａ−３：「処理水を処理水供給ラインに送る制御」を「前記流路切り替え手段を用いて処理水を処理水供給ラインを経て処理水タンクに送る制御」とする訂正
　に細分することができる。
　上記訂正事項ａ−１ないしａ−３は、いずれも本件請求項１に係る発明の構成を具体化し限定するものであり、本件特許明細書の段落【0018】【0021】【0027】【0049】に記載された事項であるから、訂正事項ａは特許請求の範囲の減縮を目的とする訂正に該当し、新規事項の追加に該当しない。
　上記訂正事項ｂは、
　訂正事項ｂ−１：「該装置の出口側に接続された処理水供給ライン」を「該装置の出口側に接続された処理水流出ラインと、該処理水流出ラインと接続された処理水供給ライン」とする訂正
　訂正事項ｂ−２：「処理水を被処理水供給ラインに循環する処理水循環ライン」を「該処理水供給ラインと分岐して処理水流出ラインに接続され、処理水を被処理水供給ラインに循環する処理水循環ライン」とする訂正
　訂正事項ｂ−３：「処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路」を付加する訂正
　訂正事項ｂ−４：「処理水を処理水供給ラインに送る制御」を「前記流路切り替え手段を用いて処理水を処理水供給ラインを経て処理タンクに送る制御」とする訂正
　訂正事項ｂ−５：「循環ライン」を「処理水循環ライン」とする訂正
　に細分することができる。
　上記訂正事項ｂ−１ないしｂ−４は、いずれも本件請求項３に係る発明の構成を具体化し限定するものであるから、特許請求の範囲の減縮を目的とする訂正に該当し、請求項３における「循環ライン」が前後の文章から「処理水循環ライン」の誤記であることは明白であるから、訂正事項ｂ−５は、誤記の訂正を目的とする訂正に該当する。
　そして、上記訂正事項ｂ−１ないしｂ−４は、いずれも本件請求項３に係る発明の構成を具体化し限定するものであり、本件特許明細書の段落【0018】【0021】【0027】【0049】に記載された事項であるから、訂正事項ｂは、特許請求の減縮及び誤記の訂正を目的とする訂正に該当し、新規事項の追加に該当しない。
　訂正事項ｃないしｉ、及びｌは、訂正事項ａないしｂにより生じる特許請求の範囲の記載と発明の詳細な説明の記載との不整合を正すものであるから、明りょうでない記載の釈明を目的とする訂正に該当する。
　訂正事項ｋは、訂正事項ａないしｂにより、本件請求項に係る発明ではなくなった事項を削除するものであるから、明りょうでない記載の釈明を目的とする訂正に該当する。
　さらに、上記訂正事項ａないしｌは、いずれも特許請求の範囲を実質的に変更・拡張するものではない。
（３）むすび
　したがって、上記訂正は、特許法第１２０条の４第２項及び同条第３項で準用する第１２６条第２項及び第３項の規定に適合するので、当該訂正を認める。
　
３．特許異議の申立てについて
３−１．当審で通知した取消理由の概要
　本件請求項１，３に係る発明は、刊行物１ないし２に記載された発明か、刊行物１ないし２に記載された発明に基づいて、当業者が容易に発明をすることができたものであるから、特許法第２９条第１項第３号ないし特許法第２９条第２項の規定により特許を受けることができない。
　したがって、本件請求項１，３に係る特許は取り消すべきものである。
　刊行物１：特開平７−８９４８号公報（甲第１号証）
　刊行物２：特公平７−５５３１９号公報（甲第２号証）
　
３−２．本件発明
　特許第３２７３７１８号の請求項１ないし３に係る発明（以下「本件発明１」ないし「本件発明３」という）は、平成１５年５月１２日付訂正明細書の特許請求の範囲に記載される事項によって特定される以下のとおりのものである。
「【請求項１】電気脱塩装置の処理水出口側を処理水供給ラインと接続した状態で該装置により被処理水を処理して処理水を得るようにした電気脱イオン法による被処理水の処理方法において、電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置し、前記処理水供給ラインに処理水タンクを接続して該処理水タンク内に貯留された処理水をユーティリティに送るようにし、電気脱塩装置を連続的に運転すると共に、処理水供給ラインに送られる処理水の量に応じて、前記流路切り替え手段を用いて処理水を処理水供給ラインを経て処理水タンクに送る制御と、処理水を処理水循環ラインに送る制御とを行うようにしたことを特徴とする電気脱イオン法による被処理水の処理方法。
【請求項２】電気脱塩装置の処理水出口側を処理水供給ラインと接続した状態で該装置により被処理水を処理して処理水を得るようにした電気脱イオン法による被処理水の処理方法において、処理水供給ラインに送られる処理水の量に応じて、電気脱塩装置を通常運転させる制御と、該装置における陽極、陰極間の通電を継続した状態で該装置への被処理水の通水を停止する制御とを行うようにしたことを特徴とする電気脱イオン法による被処理水の処理方法。
【請求項３】電気脱塩装置と、該装置の入口側に接続された被処理水供給ラインと、該装置の出口側に接続された処理水流出ラインと、該処理水流出ラインに接続された処理水供給ラインと、該処理水供給ラインと分岐して処理水流出ラインに接続され、処理水を被処理水供給ラインに循環する処理水循環ラインと、処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路と、処理水供給ラインに送られる処理水の量に応じて前記流路切り替え手段を用いて処理水を処理水供給ラインを経て処理タンクに送る制御と処理水を処理水循環ラインに送る制御とを行うための制御手段とからなることを特徴とする電気脱イオン法による被処理水の処理装置。」
　
４．当審の判断
４−１．本件発明１について
（１）引用刊行物に記載された発明
　当審が通知した刊行物１（特開平７−８９４８号公報：甲第１号証）には、図１及び段落【0015】〜【0021】の記載から明らかなように、１次純水製造装置２から超純水タンク４に供給された純水をポンプ６によって、紫外線殺菌装置８、電気式脱イオン水製造装置１０、限外濾過装置１２に供給して更に精製処理し、超純水としてユースポイント１４へ供給し、その一部を使用に供するとともに、残部を返送パイプを介して超純水タンク４へ循環するサブシステムが記載されている。
　同じく刊行物２（特公平７−５５３１９号公報：甲第２号証）には、図１及び段落【0014】の記載から明らかなように、中間貯槽２の一次純水は、管７によって、ユースポイント５の直前に設置された電気再生型イオン交換装置３と超々純水製造装置４とからなる装置によって処理され、各ユースポイント５に送られ、余剰の純水はリターン管９によって中間貯槽２に返送され、循環されるサブシステムが記載されている。
　
（２）本件発明１と刊行物１ないし２記載の発明との対比
　ここで、刊行物１における「電気式脱イオン水製造装置１０」、刊行物２における「電気再生型イオン交換装置３」が、その機能に照らし本件発明１における「電気脱塩装置」に相当することは明らかである。
　刊行物１ないし２には、システムの具体的な制御について記載はないが、超純水のサブシステムが超純水タンクからの純水を循環させながら精製処理するものであることを考えれば、サブシステムに組み込まれた電気脱塩装置が連続的に運転され、純水がユースポイントで消費される量に応じてサブシステムからの供給、循環が切り替え弁などの操作により制御されていることも明らかである。
　そこで、本件発明１と刊行物１ないし２記載の発明とを対比すると、両者は「電気脱塩装置の処理水出口側を処理水供給ラインと接続した状態で該装置により被処理水を処理して処理水を得るようにした電気脱イオン法による被処理水の処理方法において、電気脱塩装置を連続的に運転すると共に、処理水供給ラインに送られる処理水の量に応じて、処理水を処理水供給ラインに送る制御と、処理水を処理水循環ラインに送る制御とを行うようにしたことを特徴とする電気脱イオン法による被処理水の処理方法。」の点で一致し、以下の点で異なる。
　相違点ア：処理水の制御を、本件発明では「流路切り替え手段」で行っているのに対し、刊行物１ないし２記載の発明では、ユースポイントへの配管（処理水供給ラインに相当）に設けられた弁によって行い、本件発明では、処理水供給ラインに処理水タンクを接続しているのに対し、刊行物１ないし２記載の発明では、処理水タンクは循環ラインに設けられている点
　
（３）判断
　刊行物１ないし２に記載されるような超純水のサブシステムでは、ユースポイントは複数あるのが普通であるが、ユースポイントが１箇所の場合は処理水の制御を「流路切り替え手段」で行うことも可能と云える。
　しかしながら、刊行物１ないし２に記載される超純水のサブシステムが、ユースポイントの直前で水の精製を行うことを目的とするものであることを考えれば、サブシステムからユースポイントまでのラインに処理水が滞留するような処理水タンクはむしろ設けないことが普通であり、そもそも刊行物１ないし２記載の発明においては、純水タンク及びそれに連なる循環路自体が貯槽の役割を果たしているのであるから、サブシステムからユースポイントまでのラインに貯槽タンクを設ける必要性も見当たらない。
　　
（４）まとめ
　したがって、本件発明１は、刊行物１ないし２記載の発明と認められないばかりか刊行物１ないし２記載の発明に基づいて、当業者が容易に発明をすることができたとも云えない。
　
４−２．本件発明２について
　本件発明２と刊行物１ないし２記載の発明とを対比すると、両者は「電気脱塩装置の処理水出口側を処理水供給ラインと接続した状態で該装置により被処理水を処理して処理水を得るようにした電気脱イオン法による被処理水の処理方法」である点で一致し、以下の点で相違する。
　相違点イ：本件発明が、処理水供給ラインに送られる処理水の量に応じて、電気脱塩装置を通常運転させる制御と、該装置における陽極、陰極間の通電を継続した状態で該装置への被処理水の通水を停止する制御とを行うようにしているのに対し、刊行物１ないし２には具体的な制御について記載がない点
　以下、該相違点について検討すると、処理水供給ラインに送られる処理水の量に応じて、電気脱塩装置を通常運転することは当業者であれば当然なすべきこととしても、通水の停止時にも電気脱塩装置の通電を継続することは、当業者が容易に想到し得るものとは云えない。
　したがって、本件発明２は、刊行物１ないし２記載の発明と認められないばかりか刊行物１ないし２記載の発明に基づいて、当業者が容易に発明をすることができたとも云えない。
　
４−３．本件発明３は、本件発明１の方法発明をの構成を装置の発明として表現した発明であるから、本件発明１が刊行物１ないし２記載の発明と認められないばかりか同刊行物記載の発明に基づいて、当業者が容易に発明をすることができたとは云えない以上、本件発明３も同様な理由で、刊行物１ないし２記載の発明と認められないばかりか、刊行物１ないし２記載の発明に基づいて、当業者が容易に発明をすることができたとは云えない。
　
　また、その他の異議申立理由及び証拠は、本件発明１ないし３を取り消すべき理由として採用することができない。
　
５．むすび
　以上のとおりであるから、特許異議申立の理由及び証拠によっては、本件発明１ないし３についての特許を取り消すことはできない。
　また、他に本件発明１ないし３についての特許を取り消すべき理由を発見しない。
　よって、結論のとおり決定する。
【異議決定日】
平成１６年３月４日（２００４．３．４）
【訂正の要旨】
審決（決定）の【理由】欄参照。
（５４）【発明の名称】
電気脱イオン法による被処理水の処理方法及びその方法に使用する装置
（５７）【特許請求の範囲】
　【請求項１】　電気脱塩装置の処理水出口側を処理水供給ラインと接続した状態で該装置により被処理水を処理して処理水を得るようにした電気脱イオン法による被処理水の処理方法において、
電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置し、前記処理水供給ラインに処理水タンクを接続して該処理水タンク内に貯留された処理水をユーティリティに送るようにし、
前記流路切り替え手段を用いて
を経て処理水タンク
　【請求項２】　電気脱塩装置の処理水出口側を処理水供給ラインと接続した状態で該装置により被処理水を処理して処理水を得るようにした電気脱イオン法による被処理水の処理方法において、処理水供給ラインに送られる処理水の量に応じて、電気脱塩装置を通常運転させる制御と、該装置における陽極、陰極間の通電を継続した状態で該装置への被処理水の通水を停止する制御とを行うようにしたことを特徴とする電気脱イオン法による被処理水の処理方法。
　【請求項３】　電気脱塩装置と、該装置の入口側に接続された被処理水供給ラインと、該装置の出口側に接続された
処理水流出ラインと、該処理水流出ラインに接続された
該処理水供給ラインと分岐して処理水流出ラインに接続され、
処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路と、
前記流路切り替え手段を用いて
を経て処理水タンク
処理水
【発明の詳細な説明】
　【０００１】
　【発明の属する技術分野】
　本発明は電気脱イオン法により得られる処理水をユーティリティに供給するシステムに関するものであり、更に詳しくは処理水水質の低下を招かずに処理水の断続供給を行うことを可能にする電気脱イオン法による被処理水の処理方法及びその方法に使用する装置に関するものである。
　【０００２】
　【従来の技術】
　電気脱イオン法により市水、工業用水等の被処理水を処理して、超純水製造のための一次純水、実験室用純水等、その目的に合わせて処理水をユーティリティに供給することが従来から行われている。電気脱イオン法による処理を行うための装置として電気脱塩装置（以下、ＥＤＩという）が知られており、この装置によって得られた脱塩水即ち、処理水がユーティリティに供給される。
　【０００３】
　処理水をユーティリティに供給する方法として、直接ＥＤＩとユーティリティを接続する方法や、処理水を貯留するタンクを設けて、このタンクとユーティリティを接続する方法がある。一般に、ユーティリティの処理水使用は断続的であり、しかも処理水使用量は常に一定している訳ではないので上記いずれの方法を採用した場合においても、ユーティリティの処理水使用量と処理水の製造量とが一致しない場合が多く、そのためユーティリティの処理水使用パターンにより、ＥＤＩをＯＮ、ＯＦＦ運転しているのが現状である。
　【０００４】
　そのようなＯＮ、ＯＦＦ運転による従来の処理方法を図８に基づき説明すると、同図において、１０１は前処理装置、１０２はろ過水タンク、１０３は高圧ポンプ、１０４は逆浸透膜装置、１０５はＥＤＩ、１０６は処理水タンクであり、まず原水（市水）即ち被処理水は前処理装置１０１によってろ過される。ろ過水は一旦、ろ過水タンク１０２に貯留され、高圧ポンプ１０３によって、タンク１０２よりろ過水が逆浸透膜装置１０４に送られる。該装置１０４から流出する透過水（被処理水）はＥＤＩ１０５に通水され、ここで脱塩処理が行われ、脱塩水即ち処理水は処理水タンク１０６に貯留される。尚、この場合、図９に示すように透過水（被処理水）を一旦、透過水タンク１０７に貯留し、このタンク１０７内の透過水（被処理水）をポンプ１０８によってＥＤＩ１０５に送液する方法もある。
　【０００５】
　処理水タンク１０６はユーティリティに接続され、ユーティリティの処理水使用目的に応じてタンク１０６内の処理水の必要量がユーティリティに送られ、消費される。
　【０００６】
　ここにおいて、処理水タンク１０６に供給される処理水の量が、ユーティリティによる処理水使用量よりも多い場合には、タンク１０６内における処理水の水位は上昇し、該水位が設定上限位置に達したとき、レベルスイッチ１０９が作動して電気信号により高圧ポンプ１０３の駆動を停止すると共に、逆浸透膜装置１０４及びＥＤＩ１０５の運転を停止する。
　【０００７】
　またこの状態から、ユーティリティにおける処理水使用により、タンク１０６内の処理水の水位が下降し、該水位が設定下限位置にまで下がったとき、レベルスイッチ１０９が作動して電気信号により高圧ポンプ１０３を駆動させると共に、逆浸透膜装置１０４及びＥＤＩ１０５を運転させる。尚、図９に示すフローの場合は、透過水タンク１０７と処理水タンク１０６のそれぞれにレベルスイッチ１１０、１０９が設けられ、各タンク１０７、１０６内の水位の変動に応じて、レベルスイッチ１１０からの電気信号により高圧ポンプ１０３及び逆浸透膜装置１０４の運転をＯＮ、ＯＦＦし、またレベルスイッチ１０９からの電気信号によりポンプ１０８及びＥＤＩ１０５の運転をＯＮ、ＯＦＦするように構成されている。
　【０００８】
　【発明が解決しようとする課題】
　このように、従来方法はＥＤＩをＯＮ、ＯＦＦ運転するものであるが、ＥＤＩの運転時間が短いと処理水水質の低下を招くという問題点がある。
　【０００９】
　即ち、ＥＤＩは、図４に示す如く、カチオン交換膜１とアニオン交換膜２との間にイオン交換樹脂３を充填して脱塩室４を構成すると共に、各脱塩室４、４間に濃縮室５を構成し且つ陽極６、陰極７と各脱塩室４、４との間にそれぞれ電極室８、８を設けてなるものであり、被処理水は脱塩室４に供給され、脱塩処理される。この場合、被処理水中のイオンは脱塩室４内においてイオン交換樹脂３によりイオン交換されるとともに、陽イオンはカチオン交換膜１を通り、陰イオンはアニオン交換膜２を通り、それぞれ濃縮室５、電極室８に移動する。このイオンの移動には時間がかかるため、脱塩室４に供給される被処理水中のイオン量と、脱塩室４により濃縮室５、電極室８に排出されるイオン量とがバランスよく吊り合い、平衡状態となるためには或る程度の時間（ＥＤＩ運転時間）が必要である。
　【００１０】
　上記２つのイオン量が平衡状態に達する前にＥＤＩの運転を停止してしまうと、即ちＥＤＩの運転時間が短いと、イオン交換樹脂３の再生が完全に行われず、樹脂中にイオンがたまってしまう。この状態でＥＤＩの運転を再開し、被処理水を脱塩室４に供給すると、イオン交換樹脂はイオン交換能力が低下した状態にあるため、得られる脱塩水の水質は低水質のものとなるのを避けられない。
　【００１１】
　このように、従来方法はＥＤＩをＯＮ、ＯＦＦ運転することにより、ユーティリティの処理水使用量に応じた処理水製造の運転制御を行っていたため、ＥＤＩのＯＮ状態の時間、即ち運転時間が短い場合には処理水水質の低下を招くという欠点があった。
　【００１２】
　本発明は叙上の点に鑑みなされたもので、処理水水質の低下を招かずに、ユーティリティの処理水使用量に応じた処理水製造の運転制御を良好に行える、電気脱イオン法による被処理水の処理方法及びその方法に使用する装置を提供することを目的としている。
　【００１３】
　【課題を解決するための手段】
　本発明は、（１）電気脱塩装置の処理水出口側を処理水供給ラインと接続した状態で該装置により被処理水を処理して処理水を得るようにした電気脱イオン法による被処理水の処理方法において、
電気脱塩装置の処理水出口側に設けた処理水流出ラインに処理水供給ラインと処理水循環ラインを分岐して接続し、処理水の流路を処理水供給ライン又は処理水循環ラインに切り替えるための流路切り替え手段を設置し、前記処理水供給ラインに処理水タンクを接続して該処理水タンク内に貯留された処理水をユーティリティに送るようにし、
前記流路切り替え手段を用いて
を経て処理水タンク
処理水流出ラインと、該処理水流出ラインに接続された
該処理水供給ラインと分岐して処理水流出ラインに接続され、
処理水の流路を処理水供給ライン又は処理水循環ラインに切り替えるための流路切り替え手段と、前記処理水供給ラインに接続された処理水タンクと、該処理水タンク内に貯留された処理水をユーティリティに送るための流路と、
前記流路切り替え手段を用いて
を経て処理水タンク
処理水
　【００１４】
　【発明の実施の形態】
　以下、図面に基づき本発明を詳細に説明する。
　図１は本発明方法の実施に使用する装置の略図であり、該装置は前処理装置９と逆浸透膜装置１０とＥＤＩ１１とから構成される。前処理装置９は被処理水中のゴミ等の夾雑物や塩素を除去するためのろ過装置であり、被処理水供給ライン１２の第１段目に接続される。１３はろ過水を貯留するろ過水タンクであるが、このろ過水タンク１３を設けずに、ろ過水を直接、逆浸透膜装置１０に送ってもよい。１４はろ過水タンク１３内のろ過水（被処理水）を逆浸透膜装置１０に送液するための高圧ポンプである。
　【００１５】
　逆浸透膜装置１０はＥＤＩ１１の前段に設置され、該装置１０によって被処理水中のカルシウム、マグネシウム等の硬度成分やその他の不純物イオンの大部分が除去される。またシリカ等のＥＤＩでは充分な除去が困難な不純物成分も除去される。
　【００１６】
　ＥＤＩ１１は被処理水の脱塩処理を行うもので、このＥＤＩ１１によって水質良好な処理水が得られる。ＥＤＩ１１は図４に示す如く、カチオン交換膜１とアニオン交換膜２との間にイオン交換樹脂３等のイオン交換体を充填して複数の脱塩室４を構成すると共に、各脱塩室４、４間に濃縮室５を構成し、更に両端部に陽極６、陰極７を配置し、これらの電極６、７と脱塩室４との間にそれぞれ電極室８を設けてなるものである。
　【００１７】
　脱塩室４に逆浸透膜装置１０から流出する透過水（被処理水）が通水される。また濃縮室５に濃縮水を、電極室８に電極水をそれぞれ通水するが、これらの濃縮水、電極水としては通常、前記透過水（被処理水）の一部が用いられる。
　【００１８】
　ＥＤＩ１１の出口側には処理水流出ライン１５と濃縮水・電極水流出ライン１６が接続されている。なお、濃縮水流出ラインと電極水流出ラインとを別々に設けてもよいのは当然のことである。処理水流出ライン１５は途中で処理水供給ライン１７と処理水循環ライン１８に分岐し、この分岐点に三方弁１９が連結されている。処理水供給ライン１７の途中に処理水タンク２０が接続されている。処理水循環ライン１８は高圧ポンプ１４の入口側における被処理水供給ライン１２に接続されているが、前記循環ライン１８をろ過水タンク１３に接続してもよい。要するに、処理水を循環させるに当たって、本発明の第１の実施態様においては処理水を逆浸透膜装置１０の入口側に循環させればよいのであり、該装置１０の入口側であれば還流させる地点は任意である。尚、本発明の他の実施態様として、処理水を逆浸透装置１０の出口側に循環させてもよく、この点については後述する。
　【００１９】
　一方、濃縮水・電極水流出ライン１６は途中で濃縮水・電極水ブローライン２１と濃縮水・電極水循環ライン２２とに分岐し、該循環ライン２２は高圧ポンプ１４の入口側における被処理水供給ライン１２に接続されているが、該循環ライン２２もろ過水タンク１３に接続してもよい。
　【００２０】
　２３は透過水流出ライン、２４は濃縮水流出ラインで、該濃縮水流出ライン２４は途中で濃縮水ブローライン２５と濃縮水循環ライン２６に分岐し、該循環ライン２６は濃縮水・電極水循環ライン２２に接続されているが、該循環ライン２６をろ過水タンク１３に接続してもよい。２７、２８はそれぞれ三方弁である。
　【００２１】
　処理水タンク２０にはＥＤＩ１１により脱塩処理された処理水が貯留されるが、この貯留された処理水はユーティリティの使用に供される。２９はユーティリティに接続するための処理水供給ラインで
あり、処理水タンク内に貯留された処理水をユーティリティに送るための流路である。
　【００２２】
　上記の如く構成される装置を用いて本発明方法を実施する場合の一例を述べると、まず被処理水供給ライン１２より被処理水を前処理装置９に供給する。本発明において適用される被処理水は市水、工業用水、工場排水、研究所排水等であるが、特に限定されるものではない。
　【００２３】
　前処理装置９によって被処理水中の夾雑物をろ過、分離した後、ろ過水をろ過水タンク１３に導き、貯留する。該タンク１３内のろ過水（被処理水）を高圧ポンプ１４によって送り出し、逆浸透膜装置１０に通水する。ここで通常の脱塩処理が行われると共に、カルシウム、マグネシウム等の硬度成分（この硬度成分はＥＤＩの濃縮室内においてスケール析出の要因となるので事前に除去しておく必要がある）やその他の不純物イオンの除去及びシリカ等のＥＤＩでは除去しにくい成分の分離、除去が行われる。逆浸透膜装置１０によって被処理水は透過水と濃縮水（以下、ＲＯ濃縮水という）に分離され、透過水（被処理水）は透過水流出ライン２３よりＥＤＩ１１に送られ、一方、ＲＯ濃縮水は濃縮水流出ライン２４より濃縮水ブローライン２５を経て系外に放流されるか或いは濃縮水循環ライン２６及び濃縮水・電極水循環ライン２２を経て高圧ポンプ１４の入口側に循環される。
　【００２４】
　透過水（被処理水）はＥＤＩ１１によって脱塩処理されるが、ＥＤＩの濃縮水、電極水としてはそれぞれ透過水（被処理水）の一部が使用される。ＥＤＩ１１により脱塩処理されて得られた処理水は、処理水流出ライン１５及び処理水供給ライン１７を経て処理水タンク２０に導かれ、該タンク２０内に貯留される。このとき、処理水循環ライン１８への通路は三方弁１９によって閉止されている。またＥＤＩ１１の濃縮室、電極室からそれぞれ流出してくる濃縮水、電極水（以下、ＥＤＩ濃縮水・電極水という）は、濃縮水・電極水流出ライン１６及び濃縮水・電極水ブローライン２１を経て系外に放流されるか或いは濃縮水・電極水循環ライン２２を経て高圧ポンプ１４の入口側に循環される。
　【００２５】
　タンク２０内の処理水の水位がレベルスイッチ３０の上限設定位置に達すると、検知器３０ａが働き、レベルスイッチ３０より電気信号が出力される。この電気信号によって三方弁１９が切り替わり、処理水供給ライン１７への流路が閉止されると共に、処理水循環ライン１８への流路が開いた状態となる。そのため処理水流出ライン１５を流れる処理水は、もはや処理水供給ライン１７に送液されず、処理水循環ライン１８に送られ、高圧ポンプ１４の入口側に循環される。従って、ＥＤＩ１１の運転を停止しなくても（即ち、ＥＤＩ１１を連続運転していても）、処理水タンク２０が処理水で満ちあふれるということはない。
　【００２６】
　高圧ポンプ１４の入口側に循環された処理水は、該ポンプ１４によって逆浸透膜装置１０及びＥＤＩ１１に順次送液され、再びＥＤＩ１１より流出する。このときタンク２０内の処理水の水位がレベルスイッチ３０の設定下限位置にまで降下していなければ三方弁１９は切り替わらず、処理水供給ライン１７への流路は閉じられたままなので、ＥＤＩ１１より流出した処理水は処理水循環ライン１８に送られ、循環を繰り返す。
　【００２７】
　ユーティリティの処理水使用により、処理水供給ライン２９よりタンク２０内の処理水が流出することに伴って、タンク２０内の処理水の水位が次第に低下する。処理水の水位がレベルスイッチ３０の設定下限位置に達すると、検知器３０ｂが働き、レベルスイッチ３０より電気信号が出力される。この電気信号によって三方弁１９が切り替わり、処理水供給ライン１７への流路が開くと共に、処理水循環ライン１８への流路が閉止される。そのため、今迄循環を繰り返していた処理水は処理水供給ライン１７に導かれ、処理水タンク２０内に流入する。
　【００２８】
　この処理水のタンク２０内への流入によって、タンク２０内の処理水水位が上昇し、レベルスイッチ３０の設定上限位置に達すると、検知器３０ａが働き、レベルスイッチ３０からの電気信号により三方弁１９が切り替わり、再び処理水は処理水循環ライン１８を流れて循環され、以後同様の作用が繰り返される。
　【００２９】
　レベルスイッチ３０からの電気信号によって三方弁２７、２８を切り替えることも可能である。この場合、三方弁１９が処理水循環ライン１８への流路を開いている場合には、それに連動して、三方弁２７は濃縮水・電極水循環ライン２２への流路を開き且つ三方弁２８は濃縮水循環ライン２６への流路を開くようにすることが好ましい。即ち、処理水が循環状態にある間は、ＥＤＩ１１から流出する濃縮水、電極水（ＥＤＩ濃縮水・電極水）も循環状態にし且つ逆浸透膜装置１０から流出する濃縮水（ＲＯ濃縮水）も循環状態にすることが好ましい。
　一方、処理水を処理水タンク２０に送っている間は、ＥＤＩ濃縮水・電極水及びＲＯ濃縮水はいずれも系外に放流することが好ましい。
　【００３０】
　上記ＥＤＩ濃縮水・電極水及びＲＯ濃縮水はいずれもイオン濃度が高いので、処理水を処理水タンク２０に送っている時にこれらを循環させることは得られる処理水の水質が多少低下する等の問題が生ずるので好ましくないからである。
　【００３１】
　処理水等の循環を長時間行うと、水温の上昇が生じるので、循環経路内に冷却器を設置するか、或いはＥＤＩ濃縮水・電極水及びＲＯ濃縮水を一定時間間隔毎に系外に放流して温度管理を行うことが好ましい。また電極水には、電極上で発生したガスが混在しているので、循環経路内に気液分離装置を設置してガスを除去した状態で循環するようにすることが好ましい。尚、電極水を一定時間間隔毎に系外に放流することによってもガス抜きの目的は達せられる。
　ＥＤＩ濃縮水・電極水及びＲＯ濃縮水については、循環と系外への一部放流を同時に行うことも可能である。
　【００３２】
　このように、本発明はユーティリティによる処理水の使用量の大小に係りなく、常にＥＤＩを連続的に運転するので、ＥＤＩをＯＮ、ＯＦＦ運転する場合と異なり、ＥＤＩの脱塩室におけるイオン交換樹脂等のイオン交換体は常時再生された状態にあり、良好な脱塩処理を行うことができる。
　【００３３】
　上記した本発明の実施態様は、ＥＤＩのみならず逆浸透膜装置についても連続運転を行うものであるが、本発明の別の態様として図２に示すように、逆浸透膜装置についてはＯＮ、ＯＦＦ運転を行うようにしてもよい。
　【００３４】
　この場合、同図に示すように逆浸透膜装置１０からの透過水を透過水タンク３１に貯留することが好ましい。該タンク３１にはレベルスイッチ３２が設けられ、タンク３１内の透過水の水位を検知して電気信号を出力し、高圧ポンプ１４の運転をＯＮ、ＯＦＦ制御し、これによって逆浸透膜装置１０の運転をＯＮ、ＯＦＦ制御する。ＲＯ濃縮水は一部を系外に放流し、残部を循環させる。
　【００３５】
　一方、ＥＤＩ１１に関しては図１に示す場合と同様、連続運転を行う。その作用については前述したと同様である。但し、処理水循環ライン１８は逆浸透膜装置１０の入口側ではなく、出口側に接続する。即ち、透過水タンク３１の出口側に設置した高圧ポンプ３３の前段に処理水循環ライン１８を接続し、循環する処理水は逆浸透膜装置１０を経由しない方法を採用している。
　【００３６】
　この図２に示す態様においては、逆浸透膜装置についてＯＮ、ＯＦＦ運転するので、循環に伴う水温の上昇を極力低く抑えることができる上、運転コストを低減できるという利点がある。
　【００３７】
　更に本発明の別の実施態様として、処理水タンク内の処理水の水位が設定上限位置に達した段階において、処理水を循環させる代りにＥＤＩへの被処理水の通水を停止し、且つ通水停止状態のままＥＤＩの電極間に電流を流すようにしてもよい。
　【００３８】
　例えば、図８に示すフローにおいて、処理水タンク１０６内の処理水の水位が設定上限位置に達したとき、レベルスイッチ１０９からの電気信号により高圧ポンプ１０３の駆動を停止し、逆浸透膜装置１０４及びＥＤＩ１０５への被処理水の送液を停止する（図９に示すフローにおいては、高圧ポンプ１０８の駆動を停止し、ＥＤＩ１０５への被処理水の送液を停止する）。その結果、ＥＤＩ１０５においては、脱塩室４、濃縮室５、電極室８への被処理水の通水が停止し、また脱塩室４への被処理水の通水が停止することにより処理水タンク１０６への処理水の供給も停止する。しかし、ＥＤＩの陽極６、陰極７の両電極間にはそのまま継続して電流を流し、通電状態を維持しておく。従来方法は、ＥＤＩの運転を全面的に停止したため、被処理水の供給を停止するのみならず、両電極間における通電も停止するものであったが、本発明方法は被処理水の通水は停止しても両電極間の通電は継続して行うものである。
　【００３９】
　被処理水の供給が停止するため、ＥＤＩにおいて新たな脱塩処理は行われないが、両電極間に直流電流は流れているので、脱塩室４中のイオン交換樹脂３に吸着されているイオンは濃縮室５（又は電極室８）に移動し、その結果、イオン交換樹脂３が再生される。
　【００４０】
　直流電流を流す通電時間、電流値、電圧値等の通電条件は、樹脂中のイオン量、電極室におけるガスの発生量、ＥＤＩ内部の温度上昇等を考慮して適宜決定される。電流値については、ＥＤＩ通常運転時の電流値と同じでもよいが、電極室におけるガスの発生量、水温上昇等を考慮して通常運転時の電流値よりも低い電流値を設定することが好ましい。また通電時間については、通水停止状態のまま長時間通電を行うと、電極室におけるガス発生の問題及び水温上昇の問題が無視できなくなり、運転上支障をきたすこととなるため、通電時間は１時間以下が好ましく、より好ましくは３０分以下である。
　【００４１】
　電極室におけるガスの発生及び水温上昇の影響を避けるために、図３に示すフローに従い、ＥＤＩの濃縮室５、電極室８にそれぞれ被処理水を流し、脱塩室４への通水のみを停止した状態で両電極間に通電するようにしてもよい。
　即ち、同図に示す如く、処理水流出ライン１５に二方弁３４を設け、一方、濃縮水・電極水流出ライン１６に三方弁３５を設け、この三方弁３５を介して分岐状に、濃縮水・電極水ブローライン２１及び濃縮水・電極水循環ライン２２を該濃縮水・電極水流出ライン１６に接続すると共に、前記循環ライン２２の他端を高圧ポンプ３３の入口側に接続する。
　【００４２】
　処理水タンク２０内の処理水の水位が設定上限位置に達したとき、レベルスイッチ３０からの電気信号によって二方弁３４が閉じられ、これにより処理水のタンク２０内への流入は停止する。また二方弁３４が閉止されることによって処理水流出ライン１５の流路が閉じられるので、ＥＤＩ１１における脱塩室４への被処理水の通水も停止される。一方、濃縮室５、電極室８へは被処理水が通水され、それら濃縮室５、電極室８内を流れると共に、濃縮水・電極水流出ライン１６より流出する。
　【００４３】
　濃縮室５、電極室８から流出した被処理水（即ち、濃縮水、電極水）は濃縮水・電極水循環ライン２２を経て高圧ポンプ３３の入口側に循環され、ここで再び該ポンプ３３により送り出されてＥＤＩ１１の濃縮室５、電極室８に流入し、以後前記したと同様の経路に沿って繰り返し循環される。
　【００４４】
　このように、濃縮室５及び電極室８に通水することにより、電極室８に発生したガスを追い出すことができ、電極室８に多量のガスが留まるという事態の発生を防止できる。しかし、時間の経過と共に循環水中のガスの量が増えるので、循環経路中に気液分離装置を設けてガス除去を行うか、或いは一定時間間隔毎に三方弁３５を切り替えて、濃縮水・電極水ブローライン２１より循環水（即ち濃縮水、電極水）を系外に放流することが好ましい。また循環を繰り返すと水温が上昇するので、この見地からも時々、系外に放流することが好ましい。
　【００４５】
　本発明において、ＥＤＩへの通水を停止している間も両電極間に電流を流すのは、イオン交換樹脂等のイオン交換体を再生するためであるから、必ずしも通水を停止している間中、常時電流を流し続ける必要はなく、通水停止と同時に両電極間の通電を停止し、その後通水開始までの間の適当な段階で通電を行うようにしてもよい。
　【００４６】
　また複数に分割された電極を有するＥＤＩを用いる場合は、通電の際、それぞれの電極間に印加する電圧を変化させてイオン交換樹脂層の各部位における電流値を変える（例えば、イオンの吸着量の多い部分に高い電流を流す）ようにしてもよい。
　【００４７】
　本発明において、前処理装置９及び逆浸透膜装置１０は必須のものではなく、被処理水の種類によってはそれらの装置を必要としない場合がある。
　また処理水供給の制御はレベルスイッチに限定されず、例えば圧力センサーを用いて制御してもよい。
　【００４８】
　【００４９】
　更に、処理水等を循環させるための方法として三方弁を用いる場合に限定されず、他の適当な流路切り替え手段を採用することもできる。
　【００５０】
　【実施例】
　次に本発明の実施例を示す。
実施例１
　図１の通水フローに従い、下記条件にて通水試験を行った。
　原水水質（電気伝導率）：２２０μｓ／ｃｍ
　定電流制御：０．８Ａ
　処理水流量：１００リットル／ｈ
　ＥＤＩ濃縮水＋電極水流量：２０リットル／ｈ
　原水（被処理水）を前処理装置に通し、ろ過水をろ過水タンクに貯留した。高圧ポンプによりろ過水タンクよりろ過水（被処理水）を送り出し、逆浸透膜装置に送液し、該装置からの透過水（被処理水）をＥＤＩに送液すると共に、濃縮水（ＲＯ濃縮水）を高圧ポンプの入口側に循環した。ＥＤＩから流出する処理水を処理水タンクに供給すると共に、濃縮水（ＥＤＩ濃縮水）及び電極水を高圧ポンプの入口側に循環した。
　【００５１】
　処理水タンクへの処理水の供給を５分間行った後、三方弁を切り替えて処理水の供給を停止し、処理水を高圧ポンプの入口側に循環した。この処理水の循環を２５分間継続して行った後、三方弁を切り替えて処理水の循環を停止し、再び処理水タンクへ処理水を５分間供給した。以後、同様の操作を繰り返し行い、その間、処理水流出ラインの任意の地点（ＥＤＩの脱塩室４の出口から三方弁１９に至までの間の任意の地点）で処理水の水質（抵抗率）を測定した。結果を図５に示す。同図より、処理操作中、常に安定した良好な水質が得られていることが判る。
　【００５２】
実施例２
　図８の通水フローに従い、下記条件にて通水試験を行った。
　原水水質（電気伝導率）：２２０μｓ／ｃｍ
　定電流制御：０．８Ａ（通水停止時０．４Ａ）
　処理水流量：１００リットル／ｈ
　ＥＤＩ濃縮水＋電極水流量：２０リットル／ｈ
　実施例１と同様、被処理水を前処理装置、逆浸透膜装置、ＥＤＩの各装置に順次通水し、ＥＤＩから流出する処理水を５分間処理水タンクに供給した。その後、逆浸透膜装置の運転を停止すると共に、ＥＤＩへの被処理水の通水（脱塩室、濃縮室、電極室への通水）を２５分間停止したが、この通水停止の間もＥＤＩの陽極、陰極間には電流を流し続けた。但し、被処理水の通水停止後の電流値は通水中の電流値の２分の１とし、０．４Ａの電流を流した。
　【００５３】
　次いで、再び逆浸透膜装置を運転すると共にＥＤＩへの通水を行い（もとより両電極間の通電は継続したままである）、５分間処理水を処理水タンクに供給し、以後、同様の操作を繰り返し行い、その間、処理水流出ラインの任意の地点（ＥＤＩの脱塩室４の出口から処理水タンク１０６に至るまでの間の任意の地点）で処理水の水質（抵抗率）を測定した。結果を図６に示す。同図より、処理操作中、常に安定した良好な水質が得られていることが判る。
　【００５４】
比較例
　図８の通水フローに従い、下記条件にて通水試験を行った。
　原水水質（電気伝導率）：２２０μｓ／ｃｍ
　定電流制御：０．８Ａ（通水停止時は通電も停止）
　処理水流量：１００リットル／ｈ
　ＥＤＩ濃縮水＋電極水流量：２０リットル／ｈ
　実施例１と同様、被処理水を前処理装置、逆浸透膜装置、ＥＤＩの各装置に順次通水し、ＥＤＩから流出する処理水を５分間処理水タンクに供給した。その後、逆浸透膜装置及びＥＤＩの運転を２５分間停止した。即ち、この逆浸透膜装置及びＥＤＩの運転停止によって、ＥＤＩへの被処理水の通水（脱塩室、濃縮室、電極室への通水）及びＥＤＩの陽極、陰極間における通電を２５分間停止した。
　【００５５】
　次いで、再び逆浸透膜装置及びＥＤＩを運転し、処理水を５分間処理水タンクに供給し、以後、同様の操作を繰り返し行い、その間、実施例２と同じ測定地点で処理水の水質（抵抗率）を測定した。その結果、測定当初は図５、図６に示すと同様な良好な処理水水質を示していたが、通水時間の経過と共に次第に処理水水質が低下し、抵抗率で２．０〜２．５ＭΩ・ｃｍにまで低下した。抵抗率が２．０〜２．５ＭΩ・ｃｍに低下した時点からその後の通水時間の経過による処理水水質の変化を図７に示す。同図によれば、抵抗率が２．０〜２．５ＭΩ・ｃｍに低下してからは、ほぼその値で安定しており、実施例１、２に比べて処理水水質はかなり低いことが判る。
　【００５６】
　【発明の効果】
　本発明は、ユーティリティによる処理水の使用量の大小に係りなく、常にＥＤＩを連続的に運転し、処理水の使用量、即ち処理水供給ラインに送られる処理水の量に応じて、
流路切り替え手段を用いて
を経て処理水タンク
を経て処理水タンク
　【００５７】
　また本発明は、処理水の使用量に応じて、ＥＤＩを通常運転させるか、或いはＥＤＩにおける陽極、陰極間の通電を維持した状態でＥＤＩへの被処理水の通水を停止することにより処理水の供給量を制御するものであるから、前記の場合と同様、適切な処理水供給量の制御を図りつつ、ＥＤＩの脱塩室におけるイオン交換体を常時再生状態に維持することができ、その結果、処理水供給量の制御を行いながらも処理水の水質を良好にできるという効果を奏する。
　【００５８】
　また本発明の処理装置は、簡単な構造により、処理水供給量の制御を行うことができると共に、良好な脱塩処理を行うことができるという効果を奏するものである。
【図面の簡単な説明】
　【図１】
　本発明方法における通水フロー及び本発明処理装置の第１の実施態様を示す略図である。
　【図２】
　本発明方法における通水フロー及び本発明処理装置の第２の実施態様を示す略図である。
　【図３】
　本発明方法における通水フローを示す略図である。
　【図４】
　電気脱塩装置におけるフローを示す模式断面図である。
　【図５】
　実施例１における処理水水質の測定結果を示すグラフである。
　【図６】
　実施例２における処理水水質の測定結果を示すグラフである。
　【図７】
　比較例における処理水水質の測定結果を示すグラフである。
　【図８】
　電気脱塩装置をユーティリティに接続して処理を行なう場合の一般的な通水フローを示す略図である。
　【図９】
　図８の通水フローにおいて、一部の構成を変更した例を示す通水フローの略図である。
　【符号の説明】
　　６　陽極
　　７　陰極
　１１　電気脱塩装置
　１２　被処理水供給ライン
　１７　処理水供給ライン
　１８　処理水循環ライン